(57)【要約】【課題】音データをコード化したコードデータを容易に作成し、且つ送信先端末に対応したコードデータを送信できる音データ変換システム、該システムに用いるコードデータ生成サーバ、該システムに用いるデータ処理サーバを提供する。【解決手段】受信部３１で受信した電子メールに添付されているファイルの種別が音データである場合、その音データがＵＲＬを割り当てられて音データ記録部３５に記録される。その後、ＵＲＬが追記された電子メールが受信側携帯電話機５に送信される。ＵＲＬにアクセスがあると、制御部６２が音データ記録部３５からＵＲＬに対応する音データを取得し、音データ変換部６４が取得した音データを、受信側携帯電話機５の着信音データのフォーマットや音源性能に合わせた着信音データに変換する。変換後の着信音データは受信側携帯電話機５に送信され、そこで再生可能となる。【選択図】　図１
2004072254.tif 000002
【特許請求の範囲】
【請求項１】
送信元端末から送信されるデータに含まれる音データをネットワーク上に構築された格納場所に格納し、前記データの送信先端末からの要求により、前記音データを前記送信先端末で再生可能なコードに置き換えたコードデータを前記送信先端末に送信する音データ変換システムに用いるコードデータ生成サーバであって、
前記要求に基づいて、前記格納場所に格納される音データと前記送信先端末の機種情報とから前記送信先端末で再生可能なデータ形式で前記音データを前記コードデータに変換するコードデータ変換手段と、
前記コードデータを前記送信先端末に送信するコードデータ送信手段とを備えることを特徴とするコードデータ生成サーバ。
【請求項２】
前記送信元端末及び前記送信先端末が携帯電話機であり、前記コードデータは当該携帯電話機の着信時に再生される着信音データであることを特徴とする請求項１記載のコードデータ生成サーバ。
【請求項３】
前記送信元端末及び前記送信先端末が携帯電話機であり、前記音データは当該携帯電話機により録音された自然音であることを特徴とする請求項１又は請求項２記載のコードデータ生成サーバ。
【請求項４】
送信元端末から送信されるデータに含まれる音データをネットワーク上に構築された格納場所に格納し、前記データの送信先端末からの要求により、前記音データを前記送信先端末で再生可能なコードに置き換えたコードデータを前記送信先端末に送信する音データ変換システムに用いるデータ処理サーバであって、
前記データに含まれるデータのデータ種別を判別するデータ種別判別手段と、
前記データ種別判別手段により前記データに音データが含まれていると判別された場合に、前記格納場所を示す格納場所情報を前記データの送信先端末に送信する送信手段とを備えることを特徴とするデータ処理サーバ。
【請求項５】
前記音データは前記送信元端末により録音された自然音であることを特徴とする請求項４記載のデータ処理サーバ。
【請求項６】
請求項１乃至請求項３のいずれか記載のコードデータ生成サーバと、
請求項４又は請求項５記載のデータ処理サーバとを備えることを特徴とする音データ変換システム。
【発明の詳細な説明】
【０００１】
【発明の属する技術分野】
本発明は、携帯端末から送信される音データに処理を施して送信先の携帯端末に送信する音データ処理システム、該システムに用いるデータ処理サーバ、及び該システムに用いるコードデータ生成サーバに関する。
【０００２】
【従来の技術】
近年、インターネット等の爆発的な普及により、多くの人が電子メールを気軽に利用できるようになってきている。この電子メールで送受信できるフォーマットは様々であり、例えば、テキスト、静止画像、音楽データ、及び動画像等が送受信可能である。
【０００３】
携帯電話機や簡易型携帯電話機等の携帯端末では、音楽データをコードに置き換えたＭＩＤＩデータ等の音楽ファイルを添付した電子メールを送信できる機種も普及してきている。これらの音楽ファイルは、一般に、携帯端末の着信時に再生される着信音として使用されており、この着信音に使用される音源の性能はキャリアや機種毎に異なる。この為、着信音のフォーマットは、携帯端末の音源性能に合わせる為に、キャリア毎や機種毎に様々なものが採用されている。又、最近では１６和音や２４和音等のように、音源の性能も向上してきており、コンテンツとしてもこれらの高い音源の性能に対応した着信音コンテンツが人気となっている。
【０００４】
【発明が解決しようとする課題】
しかしながら、携帯端末の着信音の音源性能が向上するにつれて、一般のユーザがその性能に合わせた着信音データを作成することは困難となっている。この為、一般のユーザが、１６和音や２４和音等の着信音データを入手するには、その着信音データがコンテンツプロバイダから提供されるまで待つ必要があった。
【０００５】
又、コンテンツプロバイダによって提供される予定のない着信音データ等に関しては、ユーザが自分で作成する必要があるが、上述したように、一般のユーザが１６和音や２４和音の着信音データを作成するのは非常に困難である。
【０００６】
仮にユーザが１６和音や２４和音等の着信音データを作成できたとしても、その作成したデータを他の携帯端末に送信した場合、携帯端末の機種毎の音源性能の違いにより、着信音データを受信した携帯端末側で、その着信音データを正確に再生できないという不具合が発生してしまう。
【０００７】
本発明は、上記事情に鑑みて為されたものであって、音データをコード化したコードデータを容易に作成し、且つ送信先の端末機種に対応したコードデータを送信することが可能な音データ変換システム、該システムに用いるコードデータ生成サーバ、及び該システムに用いるデータ処理サーバを提供することを目的とする。
【０００８】
【課題を解決するための手段】
本発明のコードデータ生成サーバは、送信元端末から送信されるデータに含まれる音データをネットワーク上に構築された格納場所に格納し、前記データの送信先端末からの要求により、前記音データを前記送信先端末で再生可能なコードに置き換えたコードデータを前記送信先端末に送信する音データ変換システムに用いるコードデータ生成サーバであって、前記要求に基づいて、前記格納場所に格納される音データと前記送信先端末の機種情報とから前記送信先端末で再生可能なデータ形式で前記音データを前記コードデータに変換するコードデータ変換手段と、前記コードデータを前記送信先端末に送信するコードデータ送信手段とを備えることを特徴とする。
【０００９】
この構成により、送信元端末から送信されるデータに含まれる音データから、データの送信先端末で再生可能なデータ形式によって音データがコードデータに変換される為、端末側でコードデータを作成しなくとも、簡単にコードデータを生成し、送信先端末に送信することができる。又、音データは、送信先端末で再生可能なデータ形式によってコードデータに変換される為、送信先端末においてコードデータを再生できないという不具合を無くすことができる。
【００１０】
又、前記送信元端末及び前記送信先端末が携帯電話機であり、前記コードデータは当該携帯電話機の着信時に再生される着信音データであることを特徴とする。
【００１１】
又、前記送信元端末及び前記送信先端末が携帯電話機であり、前記音データは当該携帯電話機により録音された自然音であることを特徴とする。
【００１２】
この構成により、携帯電話機の着信音データを自然音から簡単に生成することができ、オリジナルティの高い着信音データを生成することができる。
【００１３】
本発明のデータ処理サーバは、送信元端末から送信されるデータに含まれる音データをネットワーク上に構築された格納場所に格納し、前記データの送信先端末からの要求により、前記音データを前記送信先端末で再生可能なコードに置き換えたコードデータを前記送信先端末に送信する音データ変換システムに用いるデータ処理サーバであって、前記データに含まれるデータのデータ種別を判別するデータ種別判別手段と、前記データ種別判別手段により前記データに音データが含まれていると判別された場合に、前記格納場所を示す格納場所情報を前記データの送信先端末に送信する送信手段とを備えることを特徴とする。
【００１４】
又、前記音データは前記送信元端末により録音された自然音であることを特徴とする。
【００１５】
本発明の音データ変換システムは、請求項１乃至請求項３のいずれか記載のコードデータ生成サーバと、請求項４又は請求項５記載のデータ処理サーバとを備えることを特徴とする。
【００１６】
【発明の実施の形態】
以下、本発明の実施形態について図面を参照して説明する。
図１は、本実施形態に係る電子メール処理システムの構成図である。
電子メール処理システム１は、ＰＣ、携帯情報端末、及び携帯電話機等の電子メールを送信する端末として送信側携帯電話機２、送信側携帯電話機２から送信される電子メールをＳＭＴＰ（Ｓｉｍｐｌｅ　Ｍａｉｌ　Ｔｒａｎｓｆｅｒ　Ｐｒｏｔｏｃｏｌ）に基づいてネットワーク４に送出するＳＭＴＰサーバ３（データ処理サーバ）、インターネット等のネットワーク４、送信側携帯電話機２から送信される電子メールを受信する受信側携帯電話機５、及び受信側携帯電話機５からのＨＴＴＰ（Ｈｙｐｅｒｔｅｘｔ　Ｔｒａｎｓｆｅｒ　　Ｐｒｏｔｏｃｏｌ）リクエストに応じて情報を提供するウェブサーバ６（コードデータ生成サーバ）を備えて構成される。
【００１７】
尚、ＳＭＴＰサーバ３及びウェブサーバ６はネットワーク４に有線又は無線で接続され、受信側携帯電話機５はネットワーク４に無線で接続可能である。
【００１８】
送信側携帯電話機２は、自身に搭載された録音装置で録音した自然音、人の声、及び音楽等の音データを電子メールに添付して送信可能な機種であり、音データを添付した電子メール（以下、音添付電子メールという）を受信側携帯電話機５に対して送信する。
【００１９】
ＳＭＴＰサーバ３は、受信部３１、添付データ種別判定部３２（データ種別判別手段）、制御部３３、送信部３４、及び音データ記録部３５を備えて構成される。尚、音データ記録部３５は、ＳＭＴＰサーバ３内ではなく、外部に設ける構成としても良い。又、制御部３３及び送信部３４は、特許請求の範囲の送信手段に該当する。
【００２０】
受信部３１は、送信側携帯電話機２から送信される電子メールを受信し、受信した電子メールを制御部３３に伝達する。送信部３４は、制御部３３から伝達される電子メールを制御部３３の制御によりＳＭＴＰに基づいてネットワーク４を介して受信側携帯電話機５に送信する。
【００２１】
添付データ種別判定部３２は、受信した電子メールに添付されている添付データの種別（画像、音、テキスト等）をそのデータの拡張子等により判定する。音データ記録部３５には、受信部３１で受信した電子メールに添付されている音データが、制御部３３により固有のＵＲＬ（Ｕｎｉｖｅｒｓａｌ　　Ｒｅｓｏｕｒｃｅ　　Ｌｏｃａｔｅｒ）を割り当てられて記録される。尚、音データ記録部３５は、ウェブサーバ６が直接アクセスして、所望の音データをダウンロードすることが可能な共有記録部である。
【００２２】
受信側携帯電話機５は、受信した電子メールに追記されているＵＲＬにアクセス可能なブラウザを搭載し、ＨＴＴＰ（Ｈｙｐｅｒｔｅｘｔ　Ｔｒａｎｓｆｅｒ　Ｐｒｏｔｏｃｏｌ）に基づいてウェブサーバ６にアクセス可能である。
【００２３】
ウェブサーバ６は、送受信部６１、制御部６２、音データ変換部６４（特許請求の範囲のコードデータ変換手段に該当）、及び機種情報記録部６３を備えて構成される。尚、送受信部６１及び制御部６２は、特許請求の範囲のコードデータ送信手段に該当する。
【００２４】
送受信部６１は、ＨＴＴＰのリクエスト中に含まれる受信側携帯電話機５の機種名情報とＵＲＬ情報を受信したり、音データ変換部６４で変換された音声データをＨＴＴＰのレスポンスで受信側携帯電話機５に返信したりする。
【００２５】
制御部６２は、送受信部６１で受信した受信側携帯電話機５のＨＴＴＰリクエストに含まれるＵＲＬ情報に基づいて、音データ記録部３５から音データを取得し、音データ変換部６４に伝達する。又、音データ変換部６４で変換された音データを、送受信部６１に伝達する。
【００２６】
音データ変換部６４は、機種情報記録部６３に記録される機種情報管理テーブルとＨＴＴＰリクエストに含まれる機種名情報とから、アクセスしてきた携帯電話機の機種を判定し、制御部６２から伝達された音データを、判定した機種でサポートされているファーマットに対応したコードに置き換えた着信音データに変換する。
【００２７】
機種情報記録部６３には、複数の携帯電話機の機種情報、その機種情報に対応した携帯電話機の機種名、機種毎の着信音データのフォーマットの拡張子、及び機種毎の音源性能等の表１に示した項目が登録される機種情報管理テーブルが記録される。尚、機種情報管理テーブルに記録される情報はいつでも更新可能である。
【００２８】
【表１】
2004072254.tif 000003
【００２９】
次に、電子メールがＳＭＴＰサーバ３で受信されてから受信側携帯電話機５に着信音データが取得されるまでの電子メール処理システム１の動作について説明する。
図２は、電子メールがＳＭＴＰサーバで受信されてから、受信側携帯電話機に送信されるまでの流れを説明する為のフローチャートである。
【００３０】
ＳＭＴＰサーバ３でＳＭＴＰに基づいて電子メールが受信されると（Ｓ２０１）、電子メールに添付されているデータの種別が判定される。電子メールに添付されているデータに音データがない場合（Ｓ２０２：ＮＯ）、電子メールはＳＭＴＰに基づいて受信側携帯電話機５に送信される（Ｓ２０６）。一方、電子メールに添付されているデータに音データがある場合（Ｓ２０２：ＹＥＳ）は、添付されている音データが抽出され（Ｓ２０３）、ＵＲＬを割り当てて記録される（Ｓ２０４）。その後、電子メールから音データが削除され、新たにＵＲＬ情報が追記される（Ｓ２０５）。ＵＲＬ情報が追記された電子メールは、ＳＭＴＰに基づいて受信側携帯電話機５に送信される（Ｓ２０６）。
【００３１】
次に、受信側携帯電話機５が、ＵＲＬ情報が追記された電子メールを受信してから、着信音データを取得するまでの動作を説明する。
図３は、受信側携帯電話機が、ＵＲＬ情報が追記された電子メールを受信してから着信音データを取得するまでの流れを説明する為のフローチャートである。
【００３２】
電子メールを受信した受信側携帯電話機５は、ＨＴＴＰに基づいてＵＲＬ情報にアクセスする。受信側携帯電話機５からＵＲＬ情報にアクセスがあると、ウェブサーバ６でＨＴＴＰのリクエストが受信される（Ｓ３０１）。ＨＴＴＰのリクエスト受信後、そのリクエストに含まれるＵＲＬ情報に基づいて、音データ記録部３５に記録されている音データが取得される（Ｓ３０２）。
【００３３】
一方、ＨＴＴＰリクエストに含まれる受信側携帯電話機５の機種情報によりアクセス元の携帯電話機の機種が判定される（Ｓ３０３）。そして、取得された音データが、判定された機種の着信音データのファーマットに対応して変換され（Ｓ３０４）、変換後の着信音データがＨＴＴＰのレスポンスで受信側携帯電話機５に返信される（Ｓ３０５）。返信された着信音データは、受信側携帯電話機５で着信音として設定することで、着信時に再生される。
【００３４】
尚、本実施形態では、ウェブサーバ６で音データの変換を行っているが、機種情報記録部６３及び音データ変換部６４をＳＭＴＰサーバ３内に設け、ＳＭＴＰサーバ３内で、電子メールの送信先端末に応じた音データの変換を行い、変換後の着信音データを送信先端末に送信するような構成としても良い。
【００３５】
又、送信側携帯電話機２の所有者は、送信側携帯電話機２で送信した電子メールに添付される音データの変換後の着信音データを、送信側携帯電話機２自身に送信することも可能である。
【００３６】
以上のように、本実施形態によれば、送信側携帯電話機２から音データを添付した電子メールをＳＭＴＰサーバ３に送信することで、その音データが受信側携帯電話機５で再生可能な着信音データに変換され、受信側携帯電話機５に送信される。この為、音データを送信先に送信するという簡単な操作により着信音データを生成することができる。又、生成される着信音データは、受信側携帯電話機５で再生可能なフォーマットによって生成されている為、受信側携帯電話機５で受信した着信音データを再生できないという不具合を解消することができる。
【００３７】
又、送信側携帯電話機２で録音された自然音が着信音データに変換されて受信側携帯電話機５に送信される為、送信側携帯電話機２の所有者が気に入った音等を録音し、その音をすぐに着信音として送信先に送ることができ、オリジナルティの高い着信音を生成することができる。
【００３８】
【発明の効果】
本発明によれば、音データをコード化したコードデータを容易に作成し、且つ送信先の端末機種に対応したコードデータを送信することが可能な音データ変換システム、該システムに用いるコードデータ生成サーバ、及び該システムに用いるデータ処理サーバを提供することができる。
【図面の簡単な説明】
【図１】本実施形態に係る電子メール処理システムの構成図である。
【図２】電子メールがＳＭＴＰサーバで受信されてから、受信側携帯電話機に送信されるまでの流れを説明する為のフローチャートである。
【符号の説明】
１　電子メール処理システム
２　送信側携帯電話機
３　ＳＭＴＰサーバ
４　ネットワーク
５　受信側携帯電話機
６　ウェブサーバ
３１　受信部
３２　添付データ種別判定部
３３　制御部
３４　送信部
３５　音データ記録部
６１　送受信部
６２　制御部
６３　機種情報記録部
６４　音データ変換部
【図１】
2004072254.tif 000004
【図２】
2004072254.tif 000005
【図３】
2004072254.tif 000006
【手続補正書】
【提出日】平成14年9月6日(2002.9.6)
【手続補正１】
【補正対象書類名】明細書
【補正対象項目名】図面の簡単な説明
【補正方法】変更
【補正の内容】
【図面の簡単な説明】
【図１】本実施形態に係る電子メール処理システムの構成図である。
【図２】電子メールがＳＭＴＰサーバで受信されてから、受信側携帯電話機に送信されるまでの流れを説明する為のフローチャートである。
【図３】受信側携帯電話機が、ＵＲＬ情報が追記された電子メールを受信してから着信音データを取得するまでの流れを説明する為のフローチャートである。
【符号の説明】
１　電子メール処理システム
２　送信側携帯電話機
３　ＳＭＴＰサーバ
４　ネットワーク
５　受信側携帯電話機
６　ウェブサーバ
３１　受信部
３２　添付データ種別判定部
３３　制御部
３４　送信部
３５　音データ記録部
６１　送受信部
６２　制御部
６３　機種情報記録部
６４　音データ変換部